(57)【要約】【課題】飲食用容器を装飾でき、着脱が容易、かつ、取付位置がずれにくい飲食用容器の装飾品取付具を提供すること。【解決手段】装飾品取付具１は、装飾品支持部７が設けられ、飲食用容器を挟持する支持挟持部材２と、支持挟持部材２の両側部分に対向して設けられ、外側に膨出した、飲食用容器を挟持する開閉可能な一対の開閉挟持部材３ａ，３ｂと、開閉挟持部材３ａ，３ｂを開閉するための一対の開閉抓み部４ａ，４ｂとを備え、支持挟持部材２と、開閉挟持部材３ａ，３ｂとがコイルバネ５ａ，５ｂを貫通する軸によって連結されることにより一対の連結部６ａ，６ｂが構成される。一対の開閉挟持部材３ａ，３ｂが、連結部６ａ，６ｂを中心としてコイルバネの付勢力によって開閉可能に閉じ、一対の開閉抓み部４ａ，４ｂを所定の方向へ付勢すると、一対の開閉挟持部材３ａ，３ｂが開く。【選択図】図１
2008212221.tif 000002
【特許請求の範囲】
【請求項１】
装飾品を支持する装飾品支持部が設けられるとともに、飲食用容器を挟持する支持挟持手段と、
前記支持挟持手段の両側部分に対向して設けられ、外側に膨出した、前記飲食用容器を挟持する開閉可能な一対の開閉挟持手段と、
前記開閉挟持手段から反った方向に延びて前記開閉挟持手段と一体的に形成され、前記開閉挟持手段を開閉するための一対の開閉抓み部と、を備え、
前記支持挟持手段と、前記開閉挟持手段とがコイルバネを貫通する軸によって連結されることにより一対の連結部が構成される飲食用容器の装飾品取付具であって、
前記コイルバネは、先端線部外側が前記支持挟持手段に掛けられ、他端線部外側が前記開閉抓み部に掛けられることにより、前記一対の開閉挟持手段が、前記連結部を中心として前記コイルバネの付勢力によって開閉可能に閉じ、前記一対の開閉抓み部を前記反った方向と反対方向に付勢すると、前記一対の開閉挟持手段が開くことを特徴とする飲食用容器の装飾品取付具。
【請求項２】
対向して設けられ、外側に膨出した、飲食用容器を挟持する開閉可能な一対の開閉挟持手段であって、少なくとも一方の開閉挟持手段に装飾品を支持する装飾品支持部が設けられた一対の開閉挟持手段と、
前記開閉挟持手段から反った方向に延びて前記開閉挟持手段と一体的に形成され、前記開閉挟持手段を開閉するための一対の開閉抓み部と、を備え、
前記一対の開閉挟持手段がコイルバネを貫通する軸によって連結されることにより連結部が構成される飲食用容器の装飾品取付具であって、
前記コイルバネは、先端線部外側が一方の開閉抓み部に掛けられ、他端線部外側が他方の開閉抓み部に掛けられることにより、前記一対の開閉挟持手段が、前記連結部を中心として前記コイルバネの付勢力によって開閉可能に閉じ、前記一対の開閉抓み部を前記反った方向と反対方向に付勢すると、前記一対の開閉挟持手段が開くことを特徴とする飲食用容器の装飾品取付具。
【請求項３】
前記装飾品支持部は、カップ若しくは筒又は孔であることを特徴とする請求項１又は２に記載の飲食用容器の装飾品取付具。
【請求項４】
前記装飾品支持部は、金属製又は磁石であることを特徴とする請求項１から３のいずれかに記載の飲食用容器の装飾品取付具。
【請求項５】
前記開閉挟持手段は、ステムを挟持するものであり、その内側には、突出部が形成され又は滑り止め部材が設けられていることを特徴とする請求項１から４のいずれかに記載の飲食用容器の装飾品取付具。
【請求項６】
先端部位に花弁孔が形成された複数の花弁と、
前記花弁孔に挿入され折り曲げられることにより前記複数の花弁を固定する複数の固定片と、前記複数の固定片が形成された可撓性金属板を巻回することにより形成される挿通部と、を備えた花組立部と、を備えたことを特徴とする請求項１から５のいずれかに記載の飲食用容器の装飾品取付具に用いられる装飾品。
【請求項７】
前記挿通部の一方は、接着剤が装填された状態で雄蘂雌蘂部が挿入され、前記挿通部の他方は、接着剤が装填された状態で磁石が取り付けられていることを特徴とする請求項６に記載の装飾品。
【請求項８】
前記挿通部の一方は、接着剤が装填された状態で雄蘂雌蘂部が挿入され、前記挿通部の他方は、接着剤が装填された状態で茎部が挿入されていることを特徴とする請求項６に記載の装飾品。
【請求項９】
飲食用容器を挟持する支持挟持手段と、
前記支持挟持手段の両側部分に対向して設けられ、外側に膨出した、前記飲食用容器を挟持する開閉可能な一対の開閉挟持手段と、
前記開閉挟持手段から反った方向に延びて前記開閉挟持手段と一体的に形成され、前記開閉挟持手段を開閉するための一対の開閉抓み部と、を備え、
前記支持挟持手段と、前記開閉挟持手段とがコイルバネを貫通する軸によって連結されることにより一対の連結部が構成される飲食用容器の装飾品取付具であって、
前記コイルバネは、先端線部外側が前記支持挟持手段に掛けられ、他端線部外側が前記開閉抓み部に掛けられることにより、前記一対の開閉挟持手段が、前記連結部を中心として前記コイルバネの付勢力によって開閉可能に閉じ、前記一対の開閉抓み部を前記反った方向と反対方向に付勢すると、前記一対の開閉挟持手段が開くことを特徴とする飲食用容器の装飾品取付具。
【請求項１０】
対向して設けられ、外側に膨出した、飲食用容器を挟持する開閉可能な一対の開閉挟持手段と、
前記開閉挟持手段から反った方向に延びて前記開閉挟持手段と一体的に形成され、前記開閉挟持手段を開閉するための一対の開閉抓み部と、を備え、
前記一対の開閉挟持手段がコイルバネを貫通する軸によって連結されることにより連結部が構成される飲食用容器の装飾品取付具であって、
前記コイルバネは、先端線部外側が一方の開閉抓み部に掛けられ、他端線部外側が他方の開閉抓み部に掛けられることにより、前記一対の開閉挟持手段が、前記連結部を中心として前記コイルバネの付勢力によって開閉可能に閉じ、前記一対の開閉抓み部を前記反った方向と反対方向に付勢すると、前記一対の開閉挟持手段が開くことを特徴とする飲食用容器の装飾品取付具。
【発明の詳細な説明】
【技術分野】
【０００１】
本発明は、飲食用容器の装飾品取付具及びこれに用いられる装飾品に関し、更に詳しくは、飲食用容器を装飾でき、着脱が容易、かつ、取付位置がずれにくい装飾品取付具及びこれに用いられる装飾品としての造花に関する。
【背景技術】
【０００２】
フラワーアレンジメントは、冠婚葬祭、歓送迎会、各種パーティー、祝いの席等において、高級感や華やかさを演出したり、和やかさや暖かさを演出したり、故人を偲ぶ雰囲気を演出したり等、集まりに応じた雰囲気を演出するのに活用されている。大抵の場合、ステージ、テーブルや椅子等にフラワーアレンジメントが施されるが、昨今ではそれのみならず、各種の小物、例えば、ワイングラスやシャンパングラスにフラワーデコレーションを施すものも見られる。
【０００３】
その一例として、例えば、特許文献１には、飲食用容器の装飾品として、図１１に示したように、装飾品本体１０２の取付部１０３の先端部にフランジ１０４を設けるとともに、その取付部１０３の後端部に飲食用容器のいずれかの部に挟持することのできる挟持部１０５を有したものとし、取付部１０５にリボン１０６を結びつけ、フランジ１０４に花１０７を装着したものが開示されている。
【０００４】
特許文献２には、図１２に示したように、皿・鉢・グラス 類の上部周縁部２０３の一部に着脱自在にかみつくように安定してはまるほぼＵ字型をしたはめ込み部２０１と、その外側部にマグネット２０２を設けた皿・鉢・グラス 類に用いる装飾物取付具が開示されている。
【０００５】
【特許文献１】特開平１１−９９０４９号公報
【特許文献２】特開平６−２９７９００号公報
【発明の開示】
【発明が解決しようとする課題】
【０００６】
しかしながら、特許文献１に開示の飲食用容器の装飾品は、取付部１０３にリボン１０６を結びつけるものであるため、取付に手間取るという問題があった。また、特許文献１に開示の飲食用容器の装飾品は、取り付けた後においても、何かの拍子に誤ってリボン１０６を引っ張るとリボン１０６が簡単に外れてしまい見苦しいという問題があった。また、中に入った飲み物がリボン１０６にかかると、その処理に困るという問題があった。
更に、挟持部１０５は、その断面が略Ｕ字状をしているため、飲食用容器の装飾品は、その略Ｕ字状の隙間部を開いてワイングラス等のステム部に取り付けられるが、その略Ｕ字状の隙間部が閉じようとする力のみによってステム部に保持される。従って、飲食用容器の装飾品は、ステム部の太さと略Ｕ字状の大きさとの関係によっては、ずれやすい、取付ができないという問題があった。従って、飲食用容器の装飾品を取り付けることができるステム部の太さが限られるという問題があった。
【０００７】
また、特許文献２に開示の装飾物取付具は、カップ等の周縁部２０３に装着されるものであるため、カップ等に飲み物がなくなってくると、装飾物取付具の重みによってカップ等全体の安定感が損なわれ、場合によっては傾きかねないという問題があった。更に、同文献の第１０図（本明細書では図示略）には、人が口を付ける箇所の一部に装飾物取付具を設ける例が開示されているが、この場合、グラスの持ち方によって、中に入った飲み物が装飾物取付具にかかってしまって汚れやすいという問題があった。
【０００８】
また、一般的に、沢山の人が集まる立食パーティー等においては、テーブルにグラスを置いて別のテーブルに移り、戻ってきて自分のグラスに手をつけようとすると、どれが自分のグラスかわからなくなるという問題があった。
【０００９】
本発明は、上記事情に鑑みてなされたものであり、本発明の目的は、飲食用容器を装飾でき、着脱が容易、かつ、取付位置がずれにくい飲食用容器の装飾品取付具を提供することにある。
本発明の他の目的は、多くの太さのステム部に取り付けることができる飲食用容器の装飾品取付具を提供することにある。
本発明の他の目的は、衛生的な飲食用容器の装飾品取付具を提供することにある。
本発明の更なる他の目的は、飲食用容器の装飾品取付具に用いられる装飾品を提供することにある。
【課題を解決するための手段】
【００１０】
上記課題を解決するために、本発明に係る飲食用容器の装飾品取付具は、
装飾品を支持する装飾品支持部が設けられるとともに、飲食用容器を挟持する支持挟持手段と、
前記支持挟持手段の両側部分に対向して設けられ、外側に膨出した、前記飲食用容器を挟持する開閉可能な一対の開閉挟持手段と、
前記開閉挟持手段から反った方向に延びて前記開閉挟持手段と一体的に形成され、前記開閉挟持手段を開閉するための一対の開閉抓み部と、を備え、
前記支持挟持手段と、前記開閉挟持手段とがコイルバネを貫通する軸によって連結されることにより一対の連結部が構成される飲食用容器の装飾品取付具であって、
前記コイルバネは、先端線部外側が前記支持挟持手段に掛けられ、他端線部外側が前記開閉抓み部に掛けられることにより、前記一対の開閉挟持手段が、前記連結部を中心として前記コイルバネの付勢力によって開閉可能に閉じ、前記一対の開閉抓み部を前記反った方向と反対方向に付勢すると、前記一対の開閉挟持手段が開くことを要旨とする。
【００１１】
また、上記課題を解決するために、本発明に係る他の飲食用容器の装飾品取付具は、
対向して設けられ、外側に膨出した、飲食用容器を挟持する開閉可能な一対の開閉挟持手段であって、少なくとも一方の開閉挟持手段に装飾品を支持する装飾品支持部が設けられた一対の開閉挟持手段と、
前記開閉挟持手段から反った方向に延びて前記開閉挟持手段と一体的に形成され、前記開閉挟持手段を開閉するための一対の開閉抓み部と、を備え、
前記一対の開閉挟持手段がコイルバネを貫通する軸によって連結されることにより連結部が構成される飲食用容器の装飾品取付具であって、
前記コイルバネは、先端線部外側が一方の開閉抓み部に掛けられ、他端線部外側が他方の開閉抓み部に掛けられることにより、前記一対の開閉挟持手段が、前記連結部を中心として前記コイルバネの付勢力によって開閉可能に閉じ、前記一対の開閉抓み部を前記反った方向と反対方向に付勢すると、前記一対の開閉挟持手段が開くことを要旨とする。
上記いずれの飲食用容器の装飾品取付具においても、装飾品支持部を有しないものも本発明の範囲に含まれる。
【００１２】
上記いずれの飲食用容器の装飾品取付具においても、前記装飾品支持部は、カップ若しくは筒又は孔であることが望ましい。
また、前記装飾品支持部は、金属製又は磁石であることが望ましい。
更に、前記開閉挟持手段は、ステムを挟持するものであり、その内側には、突出部が形成され又は滑り止め部材が設けられていることが望ましい。
【００１３】
上記課題を解決するために、本発明に係る飲食用容器の装飾品取付具に用いられる装飾品は、
先端部位に花弁孔が形成された複数の花弁と、
前記花弁孔に挿入され折り曲げられることにより前記複数の花弁を固定する複数の固定片と、前記複数の固定片が形成された可撓性金属板を巻回することにより形成される挿通部と、を備えた花組立部と、を備えたことを要旨とする。
【００１４】
この場合に、前記挿通部の一方は、接着剤が装填された状態で雄蘂雌蘂部が挿入され、前記挿通部の他方は、接着剤が装填された状態で磁石が取り付けられていることが望ましい。
この場合に、前記挿通部の一方は、接着剤が装填された状態で雄蘂雌蘂部が挿入され、前記挿通部の他方は、接着剤が装填された状態で茎部が挿入されていることが望ましい。
【発明の効果】
【００１５】
本発明に係る飲食用容器の装飾品取付具は、支持挟持手段又は開閉挟持手段に装飾品を支持する装飾品支持部が設けられたものであるから、これに装飾品を支持させることにより、飲食用容器を装飾できるという効果がある。また、装飾品を人によって異ならせれば、人が集まる場所で目印になり、飲食用容器が誰のものかがわかりやすいという効果がある。
【００１６】
本発明に係る飲食用容器の装飾品取付具は、これを飲食用容器に取り付けるときは、一対の開閉抓み部をこれが反った方向と反対方向に付勢し、一対の開閉挟持手段が開いたところで、飲食用容器（例えば、ワイングラスのステム）を囲み、その付勢力を除去すれば、コイルバネの付勢力によって、一対の開閉挟持手段が閉じ、飲食用容器が挟持され、これに取り付けられる。逆に、本発明に係る装飾品取付具は、これを飲食用容器から取り外すときは、一対の開閉抓み部をこれが反った方向と反対方向に付勢し、一対の開閉挟持手段が開いたところで、飲食用容器（例えば、ワイングラスのステム）から外せばよく、その付勢力を除去すれば、コイルバネの付勢力によって、一対の開閉挟持手段が閉じる。従って、本発明に係る装飾品取付具は、一対の開閉抓み部を付勢し、その状態で装飾品取付具の位置をずらし、一対の開閉抓み部にかけた付勢力を除去するだけで、着脱ができるため、着脱が容易であるという効果がある。
【００１７】
本発明に係る飲食用容器の装飾品取付具は、コイルバネの先端線部外側が支持挟持手段に掛けられ、その他端線部外側が開閉抓み部に掛けられることにより、一対の開閉挟持手段が、連結部を中心としてコイルバネの付勢力によって開閉可能に閉じる。従って、本発明に係る装飾品取付具は、一対の開閉挟持手段が閉じるときのコイルバネの付勢力により、飲食用容器（例えば、ワイングラスのステム）を挟持し、これに取り付けられるものであるから、取付位置がずれにくいという効果がある。更に、開閉挟持手段の内側に、突出部が形成され又は滑り止め部材が設けられていると、装飾品取付具の取付位置がより一層ずれにくいという効果がある。
【００１８】
本発明に係る飲食用容器の装飾品取付具は、開閉可能な一対の開閉挟持手段が閉じるときのコイルバネの付勢力により、飲食用容器（例えば、ワイングラスのステム）を挟持し、これに取り付けられるものであるから、一対の開閉挟持手段が挟持できる太さの飲食用容器であれば、取り付けることができる。従って、本発明に係る装飾品取付具は、多くの太さのステムに取り付けることができるという効果がある。
【００１９】
本発明に係る飲食用容器の装飾品取付具は、一対の開閉挟持手段がステムを挟持するものであるから、衛生的であるという効果がある。
【００２０】
本発明に係る飲食用容器に用いられる装飾品は、飲食用容器の装飾品取付具に用いることができ、これにより、飲食用容器を装飾することができるという効果がある。
【発明を実施するための最良の形態】
【００２１】
以下に、本発明の一実施形態に係る飲食用容器の装飾品取付具及びこれに用いられる装飾品について図面を参照して詳細に説明する。
（第一の実施形態）
図１は、本発明の一実施形態に係る飲食用容器の装飾品取付具１の外観図であり、図２は、装飾品取付具１の分解図である。これらの図に示したように、装飾品取付具１は、支持挟持部材２と、一対の開閉挟持部材３ａ，３ｂと、一対の開閉抓み部４ａ，４ｂと、一対のコイルバネ５ａ，５ｂと、一対の連結部６ａ，６ｂ（点線で示す）と、を備える。
【００２２】
支持挟持部材２は、金属製の装飾品支持部７が設けられ、ここに装飾品５１（図５、図１０参照）が取り付けられることで、装飾品５１を支持するとともに、飲食用容器１６（図１０参照）を挟持する。装飾品支持部７の内面は、磁石５４（図５、図６参照）が密着するように、磁石５４の外形に合わせられている。本実施形態の場合、装飾品支持部７の内面はすり鉢状であり、磁石５４の外形はこれに合わせてテーパーが付けられている。また、支持挟持部材２は、その中央付近に装飾品６１（図８参照）の茎部６４を貫通させて接着剤によって茎部６４を固定するための貫通孔１８が形成されている。装飾品支持部７は、貫通孔１８の直上に配置するとよい。装飾品支持部７は、貫通孔１８に装飾品６１を貫通させたときの、花弁６２や花組立部６３の支え部分となるからである。
支持挟持部材２の内側（裏側）は、図示を省略するが、装飾品取付具１が飲食用容器１６からずり落ちることを防止するための突出部や細かな溝を形成したり、滑り止め部材（ゴム、接着樹脂、皮革等）を設けてもよい。
支持挟持部材２の材質は、金属、プラスチック、木製等であればよく、特に限定されるものではない。また、装飾品支持部７の材質は、金属製又は磁石であればよく、その形状は、テーパー状の筒、円筒、角柱状の筒、断面視で一部に曲線部分を有する筒、断面視で一部に角部を有する筒等でもよい。支持挟持部材２と装飾品支持部７とが同一材質からなる場合には、これらは、一体的に成形されたものでもよい。また、支持挟持部材２と装飾品支持部７とが別部材からなる場合には、これらは、接着剤や溶接等によって一体化されたものであればよい。
【００２３】
一対の開閉挟持部材３ａ，３ｂは、一対の連結部６ａ，６ｂを中心にして開閉可能であり、飲食用容器１６、例えば、ワイングラスやシャンパングラスのステム１７（図１０参照）を挟持する。一対の開閉挟持部材３ａ，３ｂは、力を作用させていない状態においては、連結部６ａ，６ｂを中心として開閉可能に閉じている。一対の開閉挟持部材３ａ，３ｂは、支持挟持部材２の両側部分に対向して設けられ、外側に膨出又は出っ張っている。この膨出又は出っ張りの形状は、ステム１７を挟持しうる形状、例えば、弓形状、円弧状、その他のなだらかな曲線状でも、矩形状、その他の直線状によるものでもよく、特に限定されるものではない。また、一対の開閉挟持部材３ａ，３ｂの内側は、装飾品取付具１が飲食用容器１６からずり落ちることを防止するための突出部８が形成されている。
一対の開閉抓み部４ａ，４ｂは、一対の開閉挟持部材３ａ，３ｂを開閉するためのものであり、ぞれぞれ、一対の開閉挟持部材３ａ，３ｂと一体的に形成されるが、いずれも、一対の開閉挟持部材３ａ，３ｂから反った方向に向く。一対の開閉抓み部４ａ，４ｂが、一対の開閉挟持部材３ａ，３ｂから反った方向に向くことで、一対の開閉挟持部材３ａ，３ｂを矢示Ａ、Ｂ方向に比較的大きく開くことができる。
【００２４】
支持挟持部材２は、両側に孔、すなわち、片側に上側孔９ａ，下側孔１０ａを備え、反対側に上側孔９ｂ，下側孔１０ｂを備える。開閉挟持部材３ａは、上側孔１１ａ，下側孔１２ａを備え、開閉挟持部材３ｂは、上側孔１１ｂ，下側孔１２ｂを備える。支持挟持部材２の両側の上下部分は、それぞれ、開閉挟持部材３ａ，３ｂの上下部分と重なりあわされて、上側孔９ａ，９ｂは、それぞれ、上側孔１１ａ，１１ｂと連通し、下側孔１０ａ，１０ｂは、下側孔１２ａ，１２ｂと連通する。  
【００２５】
コイルバネ５ａは、上側孔９ａ，１１ａと下側孔１０ａ，１２ａとの間にこれらに連通して介装され、コイルバネ５ｂは、上側孔９ｂ，１１ｂと下側孔１０ｂ，１２ｂとの間にこれらに連通して介装される。軸１３ａは、上側孔１１ａ，９ａ、コイルバネ５ａ、下側孔１０ａ，１２ａを貫通し、これらを連結し、これらが連結部６ａを構成する。また、軸１３ｂは、上側孔１１ｂ，９ｂ、コイルバネ５ｂ、下側孔１０ｂ，１２ｂを貫通し、これらを連結し、これらが連結部６ｂを構成する。すなわち、支持挟持部材２、開閉挟持部材３ａ，３ｂとがコイルバネ５ａ，５ｂを貫通する軸１３ａ，１３ｂによって連結されることにより、一対の連結部６ａ，６ｂが構成される。軸１３ａ，１３ｂの一端部は、上記の上側孔、下側孔よりも太い頭部が形成され、他端部は、軸を貫通させた後、これらの孔から抜けないようにつぶされている。
【００２６】
コイルバネ５ａ，５ｂは、コイル本体を挟んで、それぞれ、先端線部１４ａと他端線部１５ａ、先端線部１４ｂと他端線部１５ｂがＶ字状に開いた形状をしており、上記のように連結されて、先端線部１４ａ，１４ｂの外側が支持挟持部材２の両側（矢示Ｃ、Ｄ）に掛けられ、他端線部１５ａ，１５ｂの外側が開閉抓み部４ａ，４ｂの裏側（矢示Ｅ、Ｆ）に掛けられる。これにより、コイルバネ５ａ，５ｂは、それぞれ、コイル本体を挟んで先端線部１４ａと他端線部１５ａ、及び、先端線部１４ｂと他端線部１５ｂのＶ字状に開いたところがより狭まるように圧縮された状態で装着される。従って、一対の開閉挟持部材３ａ，３ｂは、コイルのＶ字を開かせようとするバネの付勢力により、一対の開閉挟持部材３ａ，３ｂが閉じる方向へ付勢される。
【００２７】
従って、装飾品取付具１を飲食用容器１６に取り付けるときは、（１）一対の開閉抓み部４ａ，４ｂを、親指と人差し指で抓んで、そのまま抓むようにして力を入れることにより、一対の開閉抓み部４ａ，４ｂをこれが反った方向と反対方向（矢示Ｇ、Ｈ）に付勢し、（２）一対の開閉挟持部材３ａ，３ｂが開いたところで、飲食用容器（例えば、ワイングラスのステム１７）を囲み、（３）その付勢力（指の力）を除去すれば、コイルバネの付勢力によって、一対の開閉挟持部材３ａ，３ｂが閉じる。これにより、装飾品取付具１は、飲食用容器１６を挟持し、これに取り付けられる。
逆に、装飾品取付具１を飲食用容器１６から取り外すときは、（１）一対の開閉抓み部４ａ，４ｂを、親指と人差し指で抓んで、そのまま抓むようにして力を入れることにより、一対の開閉抓み部４ａ，４ｂをこれが反った方向と反対方向（矢示Ｇ、Ｈ）に付勢し、（２）一対の開閉挟持部材３ａ，３ｂが開いたところで、飲食用容器（例えば、ワイングラスのステム１７）から外し、（３）その付勢力（指の力）を除去すれば、コイルバネの付勢力によって、一対の開閉挟持部材３ａ，３ｂが閉じる。これにより、装飾品取付具１は、飲食用容器１６から外される。
【００２８】
従って、装飾品取付具１は、一対の開閉抓み部４ａ，４ｂを親指と人差し指だけの力で付勢し、その状態で装飾品取付具１を適当な位置へもっていき、一対の開閉抓み部４ａ，４ｂにかけた付勢力を除去するだけ、いわば、ワンタッチで、着脱ができるため、着脱が容易である。装飾品取付具１は、一対の開閉挟持部材３ａ，３ｂが挟持できる太さのステム１７を有する飲食用容器１６であれば、取り付けることができ、しかも、バネの付勢力を利用しているため、ずり落ちにくい。
【００２９】
尚、この実施形態においては、支持挟持部材２ａに装飾品支持部７を設けた例を示したが、これに代えて、開閉挟持部材３ａ，３ｂに装飾品支持部７を設けても、あるいは、支持挟持部材２及び開閉挟持部材３ａ，３ｂに装飾品支持部７を設けてもよい。
更に、この実施形態においては、開閉挟持部材３ａ，３ｂに突出部を形成した例を示したが、これに代えて、細かな溝を形成したり、滑り止め部材（ゴム、接着樹脂、皮革等）を設けてもよい。
【００３０】
（第二の実施形態）
図３は、本発明の一実施形態に係る装飾品取付具２１の外観図であり、図４は、装飾品取付具２１の分解図である。これらの図に示したように、装飾品取付具２１は、一対の開閉挟持部材２３ａ，２３ｂと、一対の開閉抓み部２４ａ，２４ｂと、コイルバネ２５と、連結部２６と、を備える。
【００３１】
一対の開閉挟持部材２３ａ，２３ｂは、金属製の装飾品支持部２７が設けられ、ここに装飾品５１（図５、図１０参照）が取り付けられることで、装飾品５１を支持するとともに、飲食用容器１６（図１０参照）を挟持する。装飾品支持部２７の内面は、磁石５４（図５、図６参照）が密着するように、磁石５４の外形に合わせられている。本実施形態の場合、装飾品支持部２７の内面はすり鉢状であり、磁石５４の外形はこれに合わせてテーパーが付けられている。開閉挟持部材２３ａ，２３ｂの材質は、金属、プラスチック、木製等であればよく、特に限定されるものではない。また、開閉挟持部材２３ａは、その中央付近に装飾品６１（図８参照）の茎部６４を貫通させて接着剤によって茎部６４を固定するための貫通孔２９が形成されている。装飾品支持部２９は、貫通孔２９の直上に配置するとよい。装飾品支持部２７は、貫通孔２９に装飾品６１を貫通させたときの、花弁６２や花組立部６３の支え部分となるからである。また、装飾品支持部２７の材質は、金属製又は磁石であればよく、その形状は、テーパー状の筒、円筒、角柱状の筒、断面視で一部に曲線部分を有する筒、断面視で一部に角部を有する筒等でもよい。開閉挟持部材２３ａと装飾品支持部２７とが同一材質からなる場合には、これらは、一体的に成形されたものでもよい。また、開閉挟持部材２３ａと装飾品支持部２７とが別部材からなる場合には、これらは、接着剤や溶接等によって一体化されたものであればよい。また、平板状の金属板又はシート磁石でもよく、特に限定されるものではない。
【００３２】
一対の開閉挟持部材２３ａ，２３ｂは、連結部２６を中心にして開閉可能であり、飲食用容器１６、例えば、ステム１７（図１０参照）を挟持する。一対の開閉挟持部材２３ａ，２３ｂは、力を作用させていない状態においては、連結部２６を中心として開閉可能に閉じている。一対の開閉挟持部材２３ａ，２３ｂは、対向して設けられ、外側に膨出又は出っ張っている。この膨出又は出っ張りの形状は、ステム１７を挟持しうる形状、例えば、弓形状、円弧状、その他のなだらかな曲線状でも、矩形状、その他の直線状によるものでもよく、特に限定されるものではない。また、一対の開閉挟持部材２３ａ，２３ｂの内側は、飲食用容器１６からずり落ちることを防止するための突出部２８が形成されている。
【００３３】
一対の開閉抓み部２４ａ，２４ｂは、一対の開閉挟持部材２３ａ，２３ｂを開閉するためのものであり、ぞれぞれ、一対の開閉挟持部材２３ａ，２３ｂと一体的に形成されるが、いずれも、一対の開閉挟持部材２３ａ，２３ｂから反った方向に向く。一対の開閉抓み部２４ａ，２４ｂが、一対の開閉挟持部材２３ａ，２３ｂから反った方向に向くことで、一対の開閉挟持部材２３ａ，２３ｂを比較的大きく開くことができる。
開閉挟持部材２３ａは、上側孔３１ａ，下側孔３２ａを備え、開閉挟持部材２３ｂは、上側孔３１ｂ，下側孔３２ｂを備える。開閉挟持部材２３ａと開閉挟持部材２３ｂとは、その上下部分と重なりあわされて、上側孔３１ａは、上側孔３１ｂと連通し、下側孔３２ａは、下側孔３２ｂと連通する。
【００３４】
コイルバネ２５は、上側孔３１ｂ，３１ａと下側孔３２ａ，３２ｂとの間にこれらに連通して介装される。軸３３は、上側孔３１ｂ，３１ａ、コイルバネ２５、下側孔３２ａ，３２ｂを貫通し、これらを連結し、これらが連結部２６を構成する。すなわち、開閉挟持部材２３ａ，２３ｂがコイルバネ２５を貫通する軸３３によって連結されることにより、連結部２６が構成される。軸３３の一端部は、上記の上側孔、下側孔よりも太い頭部が形成され、他端部は、軸を貫通させた後、これらの孔から抜けないようにつぶされている。
【００３５】
コイルバネ２５は、コイル本体を挟んで先端線部３４と他端線部３５がＶ字状に開いた形状をしており、上記のように連結されて、先端線部３４の外側が開閉抓み部２４ｂの裏側に掛けられ、他端線部３５の外側が開閉抓み部２４ａの裏側に掛けられる。これにより、コイルバネ２５は、コイル本体を挟んで先端線部３４と他端線部３５がＶ字状に開いたところがより狭まるように圧縮された状態で装着される。従って、一対の開閉挟持部材２３ａ，２３ｂは、コイルのＶ字を開かせようとするバネの付勢力により、一対の開閉挟持部材２３ａ，２３ｂが閉じる方向（矢示Ｉ、Ｊ）へ付勢される。
【００３６】
従って、装飾品取付具２１を飲食用容器１６に取り付けるときは、（１）一対の開閉抓み部２４ａ，２４ｂを、親指と人差し指で抓んで、そのまま抓むようにして力を入れることにより、一対の開閉抓み部２４ａ，２４ｂをこれが反った方向と反対方向（矢示Ｋ、Ｌ）に付勢し、（２）一対の開閉挟持部材２３ａ，２３ｂが開いたところで、飲食用容器（例えば、ワイングラスのステム１７）を囲み、（３）その付勢力（指の力）を除去すれば、コイルバネの付勢力によって、一対の開閉挟持部材２３ａ，２３ｂが閉じる。これにより、装飾品取付具２１は、飲食用容器１６を挟持し、これに取り付けられる。
逆に、装飾品取付具２１を飲食用容器１６から取り外すときは、（１）一対の開閉抓み部２４ａ，２４ｂを、親指と人差し指で抓んで、そのまま抓むようにして力を入れることにより、一対の開閉抓み部２４ａ，２４ｂをこれが反った方向と反対方向（矢示Ｋ、Ｌ）に付勢し、（２）一対の開閉挟持部材２３ａ，２３ｂが開いたところで、飲食用容器（例えば、ワイングラスのステム１７）から外し、（３）その付勢力（指の力）を除去すれば、コイルバネの付勢力によって、一対の開閉挟持部材２３ａ，２３ｂが閉じる。これにより、装飾品取付具２１は、飲食用容器１６から外される。
【００３７】
従って、装飾品取付具２１は、一対の開閉抓み部２４ａ，２４ｂを親指と人差し指だけの力で付勢し、その状態で装飾品取付具２１を適当な位置へもっていき、一対の開閉抓み部２４ａ，２４ｂにかけた付勢力を除去するだけ、いわば、ワンタッチで、着脱ができるため、着脱が容易である。また、装飾品取付具２１は、一対の開閉挟持部材２３ａ，２３ｂが挟持できる太さのステム１７を有する飲食用容器１６であれば、取り付けることができ、しかも、バネの付勢力を利用しているため、ずり落ちにくい。
【００３８】
尚、この実施形態においては、開閉挟持部材２３ａに装飾品支持部２７を設けた例を示したが、開閉挟持部材２３ｂに装飾品支持部２７を設けても、あるいは、開閉挟持部材２３ａ，２３ｂの両者に装飾品支持部２７を設けてもよい。
更に、この実施形態においては、開閉挟持部材２３ａ，２３ｂに突出部を形成した例を示したが、これに代えて、細かな溝を形成したり、滑り止め部材（ゴム、接着樹脂、皮革等）を設けてもよい。
【００３９】
（第三の実施形態）
図５（ａ）〜（ｃ）は、本発明の一実施形態に係る装飾品５１の外観（それぞれ、側面、上面、底面）を示し、図６は、その製作手順を示す。
これらの図に示したように、装飾品５１は、複数の花弁５２と、花組立部５３と、磁石５４とを備える。複数の花弁５２は、先端部位に花弁孔５５が形成されており、ビーズ、金属、木、プラスチック、クリスタルガラス、高分子樹脂等からなり、特に光沢を持ったものが好ましい。花組立部５３は、複数の固定片５６（図６参照）と、複数の萼片５７とを備える。複数の固定片５６は、可撓性金属板に切り込みを入れることにより形成され、花弁孔５５に挿入され折り曲げられることにより、複数の花弁５２を固定する。複数の萼片５７は、可撓性金属板に切り込みを入れることにより形成される。複数の萼片５７は、複数の花弁５２に接着せずに、一つずつ微妙に異なるカーブで折り曲げて独特の風合いを出してもよいし、花弁片５２に接着してもよい。更に、花組立部５３は、挿通部５８（図６参照）を備えるが、挿通部５８は、固定片５６及び萼片５７が形成された可撓性金属板を巻回することにより形成される。そして、挿通部５８の一方から、接着剤が装填された状態で雄蘂雌蘂部５９が挿入され、挿通部５８の他方から、接着剤が装填された状態で磁石５４が取り付けられる。このように、装飾品５１には、磁石５４が取り付けられるため、装飾品取付具１，２１の金属製又は磁石からなるカップ（装飾品支持部７，２７）に磁石５４の部分を嵌めれば、磁力によって装飾品５１が装飾品取付具１，２１に取り付けられる。尚、複数の萼片５７は必要に応じて設ければよく、設けなくてもよい。
【００４０】
装飾品５１は次のようにして製作することができる。まず、長方形状の可撓性金属板を図６（ａ）で示すように切り抜いて、短冊状の複数の固定片５６、及び、必要に応じて、鋭角三角形状の複数の萼片５７を形成する。このときに、複数の固定片５６は、花弁５２の数に合わせるとよく、複数の萼片５７は、花弁５２の数より１多い数にするとよい。
次に、同図（ｂ）（ｃ）で示すように、固定片５６の先端を花弁孔５５に挿入して折り曲げて、花弁５２を取り付ける。これを、全ての固定片５６について行う。
次に、同図（ｄ）に示すように、可撓性金属板をこれに花弁５２を取り付けた状態で巻回し（このとき、折り曲げた固定片５６は内側に、萼片５７は外側にする）、花組立部５３の端縁と端縁、及び、萼片５７ａと萼片５７ｂを重ね合わせる。これによって、形成された挿通部５８に、接着剤を充填して、一方（矢示Ｍ）から雄蘂雌蘂部５９を接着して取り付けるとともに、他方（矢示Ｎ）から磁石５４を挿入して接着する。
次に、同図（ｅ）に示すように、全体が造花形状になるように、固定片５６や萼片５７を曲げる等して形を整えればよい。これによって、装飾品５１が得られる。得られた装飾品５１は、装飾品取付具１，２１に取り付けて用いるのに好適である。
【００４１】
（第四の実施形態）
図７は、本発明の一実施形態に係る装飾品取付具７１の外観を示したものであり、カップ（装飾品支持部７）に代えて貫通孔７２を形成した一例を示す。その他の構成については、上記実施形態と同様であるため、その説明をもってこれに代える。装飾品取付具７１は、貫通孔７２に装飾品６１の茎部６４（図８参照）を差し込んで、接着剤により固定して、取り付けて用いることができる。また、装飾品支持部２の貫通孔７２の形成面の平面状部分は、金属板又はシート磁石によって形成してもよい。これにより、平面状端面を備えた磁石が付いた造花、人形、各種飾り物等をその金属板に付けたり、平面上端面を備えた金属部分が付いた造花、人形、各種飾り物等をそのシート磁石に付けることができる。
更に、貫通孔７２に、時計を埋んでもよい。時計を埋め込めば、グラスを手に取るときに時間を知ることができる。
尚、貫通孔７２の形状や大きさであるが、この貫通孔７２に挿通させるものの形状や大きさによって任意に決めることができる。例えば、貫通孔７２に茎部６４を一〜三本程度、挿通させる場合には、貫通孔７２は、直径５ｍｍ以下の円形乃至楕円形の孔であればよい。貫通孔７２に円形の時計を埋め込む場合には、貫通孔７２は、直径数ｃｍ以下（直径５ｍｍ〜直径３ｃｍ程度）の円形乃至楕円形の孔であればよい。また、貫通孔７２に四角形の時計を埋め込む場合には、貫通孔７２は、縦５ｍｍ〜１ｃｍ程度、横１〜３ｃｍ程度の孔であればよい。
【００４２】
（第五の実施形態）
図８（ａ）〜（ｃ）は、本発明の一実施形態に係る装飾品６１の外観（それぞれ、側面、上面、底面）を示し、図９は、その製作手順を示す。
これらの図に示したように、装飾品６１は、複数の花弁６２と、花組立部６３と、茎部６４とを備える。複数の花弁６２は、先端部位に花弁孔６５が形成された、ビーズ、金属、木、プラスチック、クリスタルガラス、高分子樹脂等からなり、特に光沢を持ったものが好ましい。花組立部６３は、花弁孔６５に挿入され折り曲げられることにより、複数の花弁６２を固定する複数の固定片６６（図９参照）と、複数の花弁６２に接着されない複数の萼片６７と、挿通部６８とを備える。これらのうち、複数の固定片６６及び複数の萼片６７は、可撓性金属板に形成されるが、挿通部６８は、これらが形成された可撓性金属板を巻回することにより形成される。そして、挿通部６８の一方は、接着剤が装填された状態で雄蘂雌蘂部６９が挿入され、挿通部６８の他方は、接着剤が装填された状態で茎部６４が取り付けられている。従って、装飾品取付具７１の貫通孔７２に茎部６４を嵌めて、接着剤で固定したり、内部が針金製の茎部６４を折り曲げて、支持挟持部材２に巻き付ければ、装飾品６１が装飾品取付具７１に取り付けられる。尚、複数の萼片６７は必要に応じて設ければよく、設けなくてもよい。
【００４３】
装飾品６１は次のようにして製造することができる。まず、略扇状の可撓性金属板を図９（ａ）で示すように切り抜いて、短冊状の複数の固定片６６、及び、必要に応じて、鋭角三角形状の複数の萼片６７を形成する。
次に、同図（ｂ）（ｃ）に示すように、固定片６６の先端を花弁孔６５に挿入して折り曲げて、花弁６２を取り付ける。これを、全ての固定片６６について行う。
次に、同図（ｄ）に示すように、可撓性金属板をこれに花弁６２を取り付けた状態で巻回し（このとき、折り曲げた固定片６６は内側に、萼片６７は外側にする）、花組立部６３の端縁と端縁、及び、萼片６７ａと萼片６７ｂを重ね合わせる。これによって、形成された挿通部６８に、接着剤を充填して、一方（矢示Ｏ）から雄蘂雌蘂部６９を接着して取り付けるとともに、他方（矢示Ｐ）から茎部６４を挿入し接着して取り付ける。
次に、同図（ｅ）に示すように、全体が造花形状になるように、固定片６６や萼片６７を曲げる等して形を整えればよい。これによって、装飾品６１が得られる。得られた装飾品６１は、装飾品取付具７１に取り付けて用いるのに好適である。
【００４４】
（第六の実施形態）
上記実施形態においては、装飾品取付具１，２１，７１に装飾品５１，６１を取り付ける例を示したが、装飾品５１，６１を取り付けずに、装飾品取付具１，２１，７１自体をワイングラス等のワンポイントとして活用することもできる。この場合、貫通孔１８，２９，７２は必ずしも必要ではなく、装飾品取付具１，２１，７１自体に模様や絵を描いたり、彫り物を施せばよい。また、装飾品取付具１，２１，７１自体に宝石、水晶、金、銀、クリスタル、高分子樹脂（ラインストーン等）、ビーズ、パール等を接着剤等で取り付けたり、埋め込んでもよい。
【００４５】
以上、本発明の一実施形態について詳細に説明したが、本発明は上記の実施形態に何ら限定されるものではなく、本発明の要旨を逸脱しない範囲内で種々の改変が可能である。
【産業上の利用可能性】
【００４６】
本発明に係る装飾品取付具及びこれに用いられる装飾品は、冠婚葬祭、各種パーティー、日常生活において、その場の雰囲気を演出するためのものとして利用価値が高い。本発明に係る装飾品取付具及びこれに用いられる装飾品は、テーブルウエア関連用品、キッチン関連用品、インテリア関連用品の製造メーカーにとって利用価値が高い。
【図面の簡単な説明】
【００４７】
【図１】本発明の第一の実施形態に係る装飾品取付具１の外観図である。
【図２】本発明の第一の実施形態に係る装飾品取付具１の分解図である。
【図３】本発明の第二の実施形態に係る装飾品取付具２１の外観図である。
【図４】本発明の第二の実施形態に係る装飾品取付具２１の分解図である。
【図５】本発明の第三の実施形態に係る装飾品５１の外観図である。
【図６】本発明の第三の実施形態に係る装飾品５１の製作手順を示す図である。
【図７】本発明の第四の実施形態に係る装飾品取付具７１の外観図である。
【図８】本発明の第五の実施形態に係る装飾品６１の外観図である。
【図９】本発明の第五の実施形態に係る装飾品６１の製作手順を示す図である。
【図１０】本発明に係る装飾品５１，６１を飲食用容器に取り付けた状態を示す図である。
【図１１】従来の飲食用容器の装飾品の外観図である。
【図１２】従来の装飾物取付具の外観図である。
【符号の説明】
【００４８】
１  装飾品取付具
２  支持挟持部材
３  開閉挟持部材
４  開閉抓み部
５  コイルバネ
６  連結部
７  装飾品支持部
８  突出部
９  支持挟持部材の上側孔
１０  支持挟持部材の下側孔
１１  開閉挟持部材の上側孔
１２  開閉挟持部材の下側孔
１３  軸
１４  先端線部
１５  他端線部
１６  飲食用容器
１７  ステム
１８  貫通孔
２１  装飾品取付具
２３  開閉挟持部材
２４  開閉抓み部
２５  コイルバネ
２６  連結部
２７  装飾品支持部
２８  突出部
２９  貫通孔
３１  開閉挟持部材の上側孔
３２  開閉挟持部材の下側孔
３３  軸
３４  先端線部
３５  他端線部
５１  装飾品
５２  花弁
５３  花組立部
５４  磁石
５５  花弁孔
５６  固定片
５７  萼片
５８  挿通部
５９  雄蘂雌蘂部
６１  装飾品
６２  花弁
６３  花組立部
６４  茎部
６５  花弁孔
６６  固定片
６７  萼片
６８  挿通部
６９  雄蘂雌蘂部
７１  装飾品取付具
７２  貫通孔
【図１】
2008212221.tif 000003
【図２】
2008212221.tif 000004
【図３】
2008212221.tif 000005
【図４】
2008212221.tif 000006
【図５】
2008212221.tif 000007
【図６】
2008212221.tif 000008
【図７】
2008212221.tif 000009
【図８】
2008212221.tif 000010
【図９】
2008212221.tif 000011
【図１０】
2008212221.tif 000012
【図１１】
2008212221.tif 000013
【図１２】
2008212221.tif 000014